【手続補正書】
【提出日】平成22年9月30日(2010.9.30)
【手続補正１】
【補正対象書類名】特許請求の範囲
【補正対象項目名】全文
【補正方法】変更
【補正の内容】
【特許請求の範囲】
【請求項１】
複数の二次データのセットを処理する方法であって、
前記二次データのセットから構成される一次データのセットを形成するために、前記二次データのセットをアグリゲートし、
前記二次データのセットの各々のフォーマットを規格化するために、前記一次データのセット内の前記二次データのセットの各々をシンジケートし、
前記一次データのセット内の前記二次データのセットの各々をジオコードでジオコード化する
ステップを含み、前記ジオコードは、前記二次データのセット内に包含される情報に関連する地理的な位置を表示する
ことを特徴とする方法。
【請求項２】
前記二次データのセットは、第１のパーティ・ソース、第２のパーティ・ソース、及び第３のパーティ・ソースの少なくとも１つからの情報を含むことを特徴とする請求項１に記載の方法。
【請求項３】
少なくとも１つのカテゴリ型で、前記二次データのセットの各々を分類するステップをさらに含むことを特徴とする請求項１に記載の方法。
【請求項４】
前記少なくとも１つのカテゴリ型は、階層構造として配列されることを特徴とする請求項３に記載の方法。
【請求項５】
前記階層構造は、非循環有向グラフであり、前記非循環有向グラフはカテゴリ用語を有する頂点及び関係を表示するエッジを含むことを特徴とする請求項４に記載の方法。
【請求項６】
重複二次データのセットを削除するために、前記一次データのセット内の前記二次データのセットの重複を無くすステップをさらに含むことを特徴とする請求項１に記載の方法。
【請求項７】
前記ジオコードは、緯度座標及び経度座標を含むことを特徴とする請求項１に記載の方法。
【請求項８】
前記ジオコードは、高度値をさらに含むことを特徴とする請求項７に記載の方法。
【請求項９】
サーバから、複数の二次データのセットにアクセスする方法であって、
関心のある少なくとも１つの地理的な位置を識別し、
関心のある少なくとも１つのカテゴリを識別し、
関心のある前記少なくとも１つの地理的な位置及び関心のある前記少なくとも１つのカテゴリを前記サーバへ伝える
ステップを含み、前記サーバは、前記複数の二次データのセットを含む一次データのセットを格納する格納ユニットを有しており、
前記二次データのセットの各々は、一様なフォーマット、少なくとも１つのカテゴリ型及びジオコードを有し、前記ジオコードは、前記二次データのセット内に包含される情報に関連する地理的な位置を表示し、
前記サーバから、関心のある先に伝えられた少なくとも１つのカテゴリに関連する少なくとも１つのカテゴリ型、及び、関心のある先に伝えられた少なくとも１つの地理的な位置に関連するジオコードを有する前記少なくとも１つの二次データのセットを受信する、ステップを含む方法。
【請求項１０】
前記二次データのセットは、第１のパーティ・ソース、第２のパーティ・ソース、及び第３のパーティ・ソースの少なくとも１つからの情報を含むことを特徴とする請求項９に記載の方法。
【請求項１１】
前記少なくとも１つのカテゴリ型は、階層構造として配列されることを特徴とする請求項９に記載の方法。
【請求項１２】
前記階層構造は、非循環有向グラフであり、前記非循環有向グラフはカテゴリ用語を有する頂点及び関係を表示するエッジを含むことを特徴とする請求項１１に記載の方法。
【請求項１３】
前記ジオコードは、緯度座標及び経度座標を含むことを特徴とする請求項９に記載の方法。
【請求項１４】
前記ジオコードは、高度値をさらに含むことを特徴とする請求項１３に記載の方法。
【請求項１５】
複数の二次データのセットを処理するシステムであって、
プロセッサと、
一次データのセットを格納するために前記プロセッサと通信する格納ユニットと、
一組のプロセッサ実行可能命令を有するメモリユニットと、
を含み、前記プロセッサ実行可能命令は、
前記二次データのセットから構成される一次データのセットを形成するために、前記二次データのセットをアグリゲートし、
前記二次データのセットの各々のフォーマットを規格化するために、前記一次データのセット内の前記二次データのセットの各々をシンジケートし、
前記一次データのセット内の前記二次データのセットの各々をジオコードでジオコード化する
ステップを含み、前記ジオコードは、前記二次データのセット内に包含される情報に関連する地理的な位置を表示する、
ように前記プロセッサを構成する
ことを特徴とするシステム。
【請求項１６】
前記二次データのセットは、第１のパーティ・ソース、第２のパーティ・ソース、及び第３のパーティ・ソースの少なくとも１つからの情報を含むことを特徴とする請求項１５に記載のシステム。
【請求項１７】
少なくとも１つのカテゴリ型で、前記二次データのセットの各々を分類するステップをさらに含むことを特徴とする請求項１５に記載のシステム。
【請求項１８】
前記少なくとも１つのカテゴリ型は、階層構造として配列されることを特徴とする請求項１７に記載のシステム。
【請求項１９】
前記階層構造は非循環有向グラフであり、前記非循環有向グラフはカテゴリ用語を有する頂点及び関係を表示するエッジを含むことを特徴とする請求項１８に記載のシステム。
【請求項２０】
前記プロセッサ実行可能命令は、重複二次データのセットを削除するために、前記一次データのセット内の前記二次データのセットの重複を無くすように前記プロセッサをさらに構成することを特徴とする請求項１５に記載のシステム。
【請求項２１】
前記ジオコードは、緯度座標及び経度座標を含むことを特徴とする請求項１５に記載のシステム。
【請求項２２】
前記ジオコードは、高度値をさらに含むことを特徴とする請求項２１に記載のシステム。
【請求項２３】
サーバから複数の二次データのセットにアクセスするシステムであって、
前記サーバと通信するプロセッサを有するクライアントと、
一次データのセットを格納するための、前記サーバと通信する格納ユニットと、
プロセッサと通信するメモリユニットと、
を含み、前記メモリユニットは一組のプロセッサ実行可能命令を有しており、前記プロセッサ実行可能命令は、
関心のある少なくとも１つの地理的な位置を識別し、
関心のある少なくとも１つのカテゴリを識別し、
関心のある少なくとも１つの地理的な位置及び関心のある少なくとも１つのカテゴリを前記サーバに伝え、
前記二次データのセットの各々は、一様なフォーマット、少なくとも１つのカテゴリ型及びジオコードを有しており、前記ジオコードは、前記二次データのセット内に包含される情報に関連する地理的な位置を表示しており、
前記サーバから、関心のある先に伝えられた少なくとも１つのカテゴリに関連する少なくとも１つのカテゴリ型、及び、関心のある先に伝えられた少なくとも１つの地理的な位置に関連するジオコードを有する前記少なくとも１つの二次データのセットを受信する  ように前記プロセッサを構成する
ことを特徴とする含むシステム。
【請求項２４】
前記二次データのセットは、第１のパーティ・ソース、第２のパーティ・ソース、及び第３のパーティ・ソースの少なくとも１つからの情報を含むことを特徴とする請求項２３に記載のシステム。
【請求項２５】
前記少なくとも１つのカテゴリ型は、階層構造として配列されることを特徴とする請求項２３に記載のシステム。
【請求項２６】
前記階層構造は、非循環有向グラフであり、前記非循環有向グラフはカテゴリ用語を有する頂点及び関係を表示するエッジを含むことを特徴とする請求項２５に記載のシステム。
【請求項２７】
前記ジオコードは、緯度座標及び経度座標を含むことを特徴とする請求項２３に記載のシステム。
【請求項２８】
前記ジオコードは、高度値をさらに含むことを特徴とする請求項２７に記載のシステム。